(57)【特許請求の範囲】
【請求項１】
乳幼児が着座する座席部が取り付けられる座席フレームと、
前記座席フレームから前方下方へ延び、下端に前輪が取り付けられる左右一対の前脚フレームと、
前記座席フレームから後方下方へ延び、下端に後輪が取り付けられる左右一対の後脚フレームと、
前記座席部の下方空間に設けられ、その内部に荷物を収容可能な籠状の荷物収容部と、
を備え、
前記荷物収容部は、
収容された荷物を下方から支持する底壁と、前記底壁の周縁から上方に立ち上がる周壁とを有し、
前記周壁のうち後端側の一部を構成する後壁部が、立ち上がり位置と、前記底壁の後端から後方側に略水平に突出するように傾倒した開放位置との間において、その配置を変位することが可能となっており、
前記後壁部は、前記開放位置に配置されたときに地面と当接する車輪を含む、乳母車。
【請求項２】
前記後壁部が前記開放位置に配置されたときに、当該後壁部を前記開放位置に保持するための第一係止部材をさらに備える、請求項１に記載の乳母車。
【請求項３】
前記後壁部は、その下端部が前記後脚フレームに回動可能に連結されており、前記立ち上がり位置と前記開放位置との間を回動によって移動可能となっている、請求項１または２に記載の乳母車。
【請求項４】
前記後壁部が前記立ち上がり位置に配置されている状態を保持するための第二係止部材をさらに備える、請求項１〜３のいずれかに記載の乳母車。
【請求項５】
前記後壁部を前記開放位置に配置し、その上に買物籠を載置した場合に、当該買物籠が前後左右方向に移動することを規制するための第三係止部材をさらに備える、請求項１〜４のいずれかに記載の乳母車。
【請求項６】
前記第三係止部材は、
前記後脚フレームに取り付けられ、当該後脚フレームから後方に向けて延びる係止部本体部と、
前記係止部本体部の後端から下方に向けて延びる爪部と、を含む、請求項５に記載の乳母車。
【発明の詳細な説明】
【技術分野】
【０００１】
本発明は、乳幼児の移動の際に用いられる乳母車に関するものであって、特に、荷物を収容するための荷物収容部が設けられた乳母車に関するものである。
【背景技術】
【０００２】
乳幼児の移動の際に用いられる乳母車において、使用者の利便性を向上させるために、乳幼児とともに荷物を運搬することが可能な乳母車が、従来から知られている。このような乳母車は、一般的に、乳幼児が着座する座席部の下方空間において、荷物を内部に収容可能な籠状の荷物収容部を備えている。この荷物収容部によって、乳幼児とともに荷物を運搬することが可能となっている。しかしながら、買い物時においては、すでに購入した品物や手提げバック等の所有物に加えて、店内にて使用する買物籠等のように、持つべき荷物が多くなってしまう場合が往々にしてある。この場合、使用者は、荷物収容部に入りきらない買物籠のような荷物を手で持ちつつ、乳母車を押さなくてはならないため、不便である。このような背景から、買い物時における使用者の利便性をより向上させるための乳母車として、例えば特開２００５−１１２２１４号公報（特許文献１）や、特開２００５−２２５４７４号公報（特許文献２）に記載されている乳母車が、従来から知られている。
【先行技術文献】
【特許文献】
【０００３】
【特許文献１】特開２００５−１１２２１４号公報
【特許文献２】特開２００５−２２５４７４号公報
【発明の概要】
【発明が解決しようとする課題】
【０００４】
特許文献１に記載の乳母車は、上方に位置するハンドルフレームと、下方に位置する後脚フレームとに着脱可能に取り付けられた荷物掛止用の「留め具」を備えている。この構成によれば、この留め具に買物籠等の荷物を掛止させて運搬することが可能となるため、買い物時における使用者の利便性を向上させることができるとしている。
【０００５】
また、特許文献２に記載の乳母車は、後脚フレームに連結され、乳母車とともに移動可能な「台車」を備えており、この台車によって買物籠等の荷物を運搬可能な構成となっている。
【０００６】
しかしながら、特許文献１に記載の乳母車は、ハンドルフレームに取り付けられた留め具に荷物を吊り下げた場合に、荷物の重量により後方側に転倒してしまう虞が生じる。また、使用状況に応じて、留め具を脚フレームまたはハンドルに着脱する作業を行わなければならない場合や、取り外した留め具を運搬／保管する必要性が生じる場合もあるため、利便性において欠点がある。
【０００７】
また、特許文献２に記載の乳母車は、使用の度に「台車」という非常に大きな部材を乳母車に連結させる必要がある。このような構成は、使用者が常に台車を持ち運ばなければならないことや、使用者が使用の度に着脱作業をしなければならないことから、実使用上、利便性において大きな欠点がある。
【０００８】
そこで、本発明の目的は、上記課題に鑑み、乳母車を伴って買い物等をする場合において、使用者の利便性を大幅に向上させることができる乳母車を提供することである。
【課題を解決するための手段】
【０００９】
本発明に係る乳母車は、乳幼児が着座する座席部が取り付けられる座席フレームと、座席フレームから前方下方へ延び、下端に前輪が取り付けられる左右一対の前脚フレームと、座席フレームから後方下方へ延び、下端に後輪が取り付けられる左右一対の後脚フレームと、座席部の下方空間に設けられ、その内部に荷物を収容可能な籠状の荷物収容部とを備える。荷物収容部は、収容された荷物を下方から支持する底壁と、底壁の周縁から上方に立ち上がる周壁とを有する。ここで、周壁のうち後端側の一部を構成する後壁部が、立ち上がり位置と、底壁の後端から後方側に略水平に突出するように傾倒した開放位置との間において、その配置を変位することが可能となっている。
【００１０】
この構成によれば、荷物収容部の一部である後壁部を、買い物時に店内にて使用する買物籠等の荷物を載置するための台座として利用することが可能となる。これにより、使用者は、乳母車を一方の手で押しながら、他方の手に買物籠を持つ必要がなくなるため、乳母車を伴って快適に買い物をすることができる。また、本発明においては、荷物載置用の台座として上記後壁部を利用していることから、使用者は、台座を形成するための部材を別途持ち運ぶ必要がない。さらに、後壁部を台座として使用する場合には、上記後壁部の配置を開放位置にまで移動させるだけでよいため、使用者は、荷物載置用の台座を、容易な操作で形成することが可能である。すなわち、本発明によれば、乳母車を伴った買い物時における利便性を大幅に向上させることができる。
【００１１】
好ましくは、後壁部が開放位置に配置されたときに、当該後壁部を開放位置に保持するための第一係止部材をさらに備える。この構成によれば、後壁部を開放位置に安定して保持することができるため、後壁部を荷物載置用の台座として用いる場合に、荷物を安定して支持することができる。また、開放位置に係止される後壁部によって、比較的に重量が重い荷物を後壁部上に載置した場合や、幼児を後壁部上に乗せた場合においても、乳母車が後方側に転倒することを防止することができる。
【００１２】
好ましくは、後壁部は、開放位置に配置されたときに地面と当接する車輪をさらに含む。この構成によれば、地面と当接する上記車輪によって、後壁部を荷物載置用の台座として用いる場合に、後壁部の位置をより安定して保持することができる。これにより、重い荷物を買物籠に入れた場合や、後壁部の上に子供が乗って遊んだ場合においても、これらをさらに安定して支持することができるとともに、荷物等の重量によって乳母車が後方へ転倒することをより確実に防ぐことができる。
【００１３】
好ましくは、後壁部は、その下端部が後脚フレームに回動可能に連結されており、立ち上がり位置と開放位置との間を回動によって移動可能となっている。この構成によれば、後壁部を開放して荷物載置用の台座とする作業と、後壁部を立ち上げて通常の荷物収容部を形成する作業とを、より容易に行うことが可能となる。これにより、乳母車としての利便性をさらに向上させることができる。
【００１４】
好ましくは、後壁部が立ち上がり位置に配置されている状態を保持するための第二係止部材をさらに備える。この構成によれば、後壁部が立ち上がった状態を安定して維持することができるため、荷物収容部の形状を堅固に保形することができる。
【００１５】
好ましくは、後壁部は、高剛性を有する材料によって構成される。この構成によれば、後壁部を荷物載置用の台座として用いる場合に、荷物を支持する安定性をさらに向上させることができる。
【００１６】
好ましくは、後壁部を開放位置に配置し、その上に買物籠を載置した場合に、当該買物籠が前後左右方向に移動することを規制するための第三係止部材をさらに備える。
【００１７】
さらに好ましくは、第三係止部材は、後脚フレームに取り付けられ、当該後脚フレームから後方に向けて延びる係止部本体部と、係止部本体部の後端から下方に向けて延びる爪部とを含む。この構成によれば、非常に簡単な構造の部材によって、買物籠等の荷物を後壁部の上に安定して載置することが可能となる。
【発明の効果】
【００１８】
本発明によれば、荷物収容部の一部である後壁部を、買い物時に店内にて使用する買物籠等の荷物を載置するための台座として利用することが可能となる。これにより、使用者は、乳母車を一方の手で押しながら、他方の手に買物籠を持つ必要がなくなるため、乳母車を伴って快適に買い物をすることができる。また、本発明においては、荷物載置用の台座として上記後壁部を利用していることから、使用者は、台座を形成するための部材を別途持ち運ぶ必要がない。さらに、後壁部を台座として使用する場合には、上記後壁部の配置を開放位置にまで移動させるだけでよいため、使用者は、荷物載置用の台座を、容易な操作で形成することが可能である。すなわち、本発明によれば、乳母車を伴った買い物時における利便性を大幅に向上させることができる。
【図面の簡単な説明】
【００１９】
【図１】本発明の一実施形態に係る乳母車の左側面図を示す。
【図２】図１に示す乳母車の背面図を示す。
【図３】図１に示す乳母車を右後方側から見た斜視図を示す。
【図４】図１に示す乳母車において、荷物収容部を構成する後壁部を開放位置に配置させた状態を示す左側面図である。
【図５】図４に示す状態の乳母車において、開放位置に配置された後壁部上に買物籠を載置させた状態を拡大して示す拡大図である。
【図６】図４に示す状態の乳母車において、開放位置に配置された後壁部上に買物籠を載置させた状態を左前方側から見た全体斜視図である。
【図７】図４に示す乳母車のハンドル部を、後方側に１８０°回動させた状態を示す左側面図である。
【図８】図４に示す乳母車の前輪を、路面から上方に高さｈだけ持ち上げた状態を示す左側面図である。
【発明を実施するための形態】
【００２０】
以下、本発明の実施の形態を図面に基づき詳細に説明する。まず、図１〜図３を参照して、本発明の一実施形態に係る乳母車１１の構成について説明する。なお、以下の説明における前後左右方向は、乳母車１１に着座する乳幼児（図示せず）の視線方向を基準とする。すなわち、説明中の前後方向は、図１の紙面左右方向に相当し、説明中の左右方向は、図１の紙面表裏方向に相当する。また、理解の容易の観点から、乳母車１１に備えられる座席部１２を、図１においては点線にて示し、図２および図３においては省略する。
【００２１】
本発明の一実施形態に係る乳母車１１は、乳幼児が着座する座席部１２が取り付けられる座席フレーム１３と、座席フレーム１３から前方下方へ延びる左右一対の前脚フレーム１４１，１４２と、座席フレーム１３から後方下方へ延びる左右一対の後脚フレーム１５１，１５２と、左右の前脚フレーム１４１，１４２に取り付けられる左右一対の手押しフレーム１６１，１６２とを備える。
【００２２】
左右の前脚フレーム１４１，１４２は、それぞれ上端から下端に向けて、前方下方へと傾斜して延びており、前脚フレーム１４１，１４２の下端には、左右一対の前輪１７１，１７２が、それぞれ取り付けられている。前輪１７１，１７２は、鉛直方向を基準に回動可能となるように前脚フレーム１４１，１４２に取り付けられている。
【００２３】
左右の後脚フレーム１５１，１５２は、それぞれ上端から下端に向けて、後方下方へと傾斜して延びており、後脚フレーム１５１，１５２の下端には、左右一対の後輪１８１，１８２が、それぞれ取り付けられている。より具体的には、左側後脚フレーム１５１の上端は、左側前脚フレーム１４１の上端に連結部材２３１を介して連結されており、右側後脚フレーム１５２の上端は、右側前脚フレーム１４２の上端に連結部材２３２を介して連結されている。
【００２４】
座席フレーム１３は、左右の前脚フレーム１４１，１４２および左右の後脚フレーム１５１，１５２に連結される座部フレーム１９と、座部フレーム１９に連結される背部フレーム２０と、背部フレーム２０に連結されるヘッドフレーム２１とを有する。
【００２５】
座部フレーム１９は、長方形を形成するように延びるパイプ状の部材によって構成され、左側後脚フレーム１５１から右側後脚フレーム１５２へと延びる後側フレーム部１９１と、後側フレーム部１９１の右端から前方へ向けて延びる右側フレーム部１９２と、右側フレーム部１９２の前端から左方に延びる前側フレーム部１９３と、前側フレーム部１９３の左端から後方へ延び、後側フレーム部１９１の左端に連結する左側フレーム部１９４とから構成されている。
【００２６】
背部フレーム２０は、後方上方側に略Ｕ字状に連なって延びるパイプ状の部材であって、その左側端が左側フレーム部１９４に連結され、右側端が右側フレーム部１９２に連結されている。また、背部フレーム２０は、位置を安定して保持するために、連結フレーム２２を介して、連結部材２３１，２３２に連結されている。そして、背部フレーム２０の上端に、ヘッドフレーム２１が、連結されている。
【００２７】
座部フレーム１９、背部フレーム２０、およびヘッドフレーム２１によって構成された座席フレーム１３の上に、クッション性を有する座席部１２が設置され、座席部１２の上に乳幼児が着座する。
【００２８】
手押しフレーム１６１，１６２は、それぞれ前脚フレーム１４１，１４２に、連結部材を介して連結されている。より具体的には、左側の手押しフレーム１６１は、その下端部が連結部材２４１を介して、前脚フレーム１４１に連結されている。連結部材２４１は、その内部に手押しフレーム１６１と前脚フレーム１４１を保持可能なスリーブ形状を有する部材であって、前脚フレーム１４１側に固定されている。また、手押しフレーム１６１は、その中間部分が、上記連結部材２３１に設けられた中空のスリーブ部に挿通固定されている。このように、手押しフレーム１６１は、連結部材２３１，２４１を介して、前脚フレーム１４１に連結されている。
【００２９】
同様に、右側の手押しフレーム１６２は、その下端部が、連結部材２４１と同様の形状を有する連結部材２４２を介して、前脚フレーム１４２に連結されている。また、手押しフレーム１６２は、その中間部分が、連結部材２３２に設けられたスリーブ部に挿通固定されている。このように、手押しフレーム１６２は、連結部材２３２，２４２を介して、前脚フレーム１４２に連結されている。
【００３０】
手押しフレーム１６１，１６２の上端には、左右一対のハンドル部２５１，２５２が取り付けられている。本実施形態に係るハンドル部２５１，２５２は、手押しフレーム１６１，１６２の上端から一方へ所定の長さだけ突出する棒状部材によって構成されており、手押しフレーム１６１，１６２の軸線を基準として回動可能となるように取り付けられている。この構成については、後述する。左側手押しフレーム１６１の上端と、右側手押しフレーム１６２の上端とは、左右方向に延在するハンドルフレーム２６によって連結されている。左右のハンドル部２５１，２５２、およびハンドルフレーム２６は、乳母車１１を押す場合に使用者が把持するための部材である。
【００３１】
本実施形態に係る乳母車１１は、座席部１２の下方空間において、内部に荷物を収容可能な籠状の荷物収容部３１を備えている。荷物収容部３１は、収容された荷物を下方から支持する四角形の底壁３２と、底壁３２の後端縁から上方に立ち上がる後壁部３３と、底壁３２の左端縁から上方に立ち上がる左壁部３４と、底壁３２の右端縁から上方に立ち上がる右壁部３５と、底壁３２の前端縁から上方に立ち上がる前壁部３６とを有する。すなわち、本実施形態に係る荷物収容部３１においては、底壁３２、後壁部３３、左壁部３４、右壁部３５、および前壁部３６によって、四角形状の荷物収容空間が形成されている。
【００３２】
ここで、本実施形態に係る荷物収容部３１においては、四角形の内の一辺を構成する後壁部３３が、図１〜図３に示すように底壁３２の後端縁から上方に立ち上がった立ち上がり位置と、図４に示すように底壁３２の後端から後方側に略水平に突出するように傾倒した開放位置との間において、その配置を変位することが可能となっている。
【００３３】
具体的には、後壁部３３は、Ｕ字状に連なって延びる後壁フレーム３３１と、後壁フレーム３３１に取り付けられた後壁プレート３３２とを含む。そして、後壁フレーム３３１の左側下端部が、連結軸３７１を介して後脚フレーム１５１の下端部に回動可能に連結され、後壁フレーム３３１の右側下端部が、連結軸３７２を介して後脚フレーム１５２の下端部に回動可能に連結されている。後壁プレート３３２は、高剛性を有する材料によって構成された平板状の部材である。また、本実施形態においては、後壁フレーム３３１の中央部に、補助輪３８が、連結部材３９を介して回動可能に取り付けられている。
【００３４】
また、本実施形態に係る乳母車１１は、後壁部３３が図４に示す開放位置に配置されたときに、当該後壁部３３を開放位置に保持するための第一係止部材と、後壁部３３が図１に示す立ち上がり位置に配置されている状態を保持するための第二係止部材と、後壁部３３が図４に示す開放位置に配置されたときに補助輪３８の回動を規制するための補助輪係止部材（いずれも図示せず）とをさらに備えている。これら第一係止部材、第二係止部材、および補助輪係止部材によって、図１に示す状態と、図４に示す状態とを、それぞれ堅固に維持することが可能となっている。このような第一係止部材または第二係止部材としては、後壁部３３の回動を規制可能であれば、如何なる構成のものを適用してもよい。例えば、第一係止部材または第二係止部材を、後壁フレーム３３１に設けられた貫通孔と、後脚フレーム１５１，１５２に設けられた係止ピンとによって構成し、立ち上がり位置または開放位置において、貫通孔内に係止ピンを挿入することによって、後壁部３３の回動を規制する構成であってもよい。
【００３５】
このように、本実施形態に係る後壁部３３は、上記構成を備えることから、図１〜図３に示す立ち上がり位置から、連結軸３７１，３７２を中心として後方側に回動し、図４に示す開放位置にまで移動することが可能となっており、且つ、後壁部３３を、立ち上がり位置または開放位置にロックすることが可能となっている。したがって、後壁部３３を、買い物時に店内にて使用する買物籠等の荷物を載置するための台座として利用することができる。図５および図６に、開放位置に配置させた後壁部３３上に買物籠４０を載置させた状態を示す。後壁部３３を、買物籠４０を載置するための台座として用いる場合、後壁部３３を開放位置に配置させ、上記第一係止部材によって後壁部３３をロックする。
【００３６】
本実施形態に係る乳母車１１は、後壁部３３上に買物籠４０が載置された場合に、買物籠４０の後方および左右方向への移動を規制するための第三係止部材２７をさらに備えている。第三係止部材２７は、左右の後脚フレーム１５１，１５２に取り付けられ、当該後脚フレーム１５１，１５２から後方に向けて延びる係止部本体部２７１と、係止部本体部２７１の後端から下方に向けて延びる爪部２７２とを含む。買物籠４０が後壁部３３上に載置されると、爪部２７２が、買物籠４０の内側に入り込み、買物籠４０を係止する。これにより、買物籠４０の後方または左右方向への移動が規制されることとなる。また、買物籠４０の前面は、左右の後脚フレーム１５１，１５２と当接していることから、買物籠４０の前方への移動も規制される。すなわち、本実施形態によれば、図５および図６に示す使用状態において、買物籠４０が前後左右方向へ移動してしまうことを防ぐことができる。
【００３７】
なお、図５および図６においては、買物籠４０を「横置き」、すなわち買物籠４０の長手方向を左右方向に配して後壁部３３上に載置し、第三係止部材２７によって係止している状態を示している。これに対して、買物籠４０を「縦置き」として後壁部３３上に載置した場合は、買物籠４０を前方へスライドさせることによって、荷物収容部３１内に滑り込ませることが可能である。これにより、使用者は、買物籠４０等の比較的に大きな荷物を、より容易に荷物収容部３１内に収容させることが可能となる。
【００３８】
このように、本実施形態に係る乳母車１１においては、荷物収容部３１の構成部材である後壁部３３を、買物籠４０を載置するための台座として利用することができる。これにより、使用者は、乳母車１１を一方の手で押しながら、他方の手に買物籠４０を持つ必要がなくなるため、乳母車１１を伴って快適に買い物をすることができる。また、上記のように、買物籠４０を載置するための台座として、荷物収容部３１の構成部材である後壁部３３を利用していることから、使用者は、買物籠載置用の台座を形成するための部材を別途持ち運ぶ必要がない。さらに、後壁部３３を台座として使用する場合、使用者は、図１に示す状態から第二係止部材のロックを解除し、後壁部３３を開放位置にまで回動させ、第一係止部材によってロックするだけでよい。すなわち、使用者は、買物籠４０を支持するための台座を、このような容易な操作で形成することが可能である。すなわち、本発明によれば、乳母車１１を伴った買い物時における利便性を大幅に向上させることができる。
【００３９】
また、本実施形態によれば、後壁部３３が図４に示すように開放位置に配置されたときに、上記第一係止部材によって、後壁部３３が開放位置に保持されるようにロックされる。さらに、この状態においては、後壁部３３に取り付けられた補助車輪３８が、地面と当接し、補助輪係止部材によってその位置がロックされている。この構成によれば、例えば品物が大量に収容された買物籠４０のように、比較的に重量が重い荷物を後壁部３３上に載置した場合や、幼児を後壁部３３上に乗せた場合においても、乳母車１１が後方側に転倒することを防止し、荷物や幼児を安定して支持することができる。さらに、例えば使用者が、乳母車１１のハンドル部２５１，２５２やハンドルフレーム２６に重量のある荷物を吊るして運搬しようとした場合においても、開放位置にロックされている後壁部３３によって、乳母車１１が後方側に転倒することを防止することができる。
【００４０】
また、本実施形態によれば、後壁部３３を構成する後壁プレート３３２が、高剛性を有する材料によって構成されている。この構成によれば、後壁部３３を荷物載置用の台座として用いて、後壁部３３上に荷物を載置した場合に、荷物を支持する安定性をさらに向上させることができる。
【００４１】
また、本実施形態によれば、左右一対のハンドル部２５１，２５２が、手押しフレーム１６１，１６２の上端に、手押しフレーム１６１，１６２の軸線を基準として回動可能となるように取り付けられる。これにより、後壁部３３を開放させて用いた場合において、使用者の歩行に係る利便性を向上させることができる。これについて、図１、図４、および図７を参照して説明する。
【００４２】
通常の使用状態においては、図１に示すように、後壁部３３が立ち上がり位置に配置されている。この状態においては、ハンドル部２５１，２５２の前後方向の位置が、左右の後輪１８１，１８２よりも後方となる。したがって、ハンドル部２５１，２５２を図１に示す状態とし、使用者がこれを把持して乳母車１１を押して歩いたとしても、使用者の足先と後輪１８１，１８２とが干渉することなく、使用者は快適に乳母車１１を押すことができる。
【００４３】
これに対して、図４に示すように後壁部３３を開放させた状態においては、後壁部３３および補助車輪３８が、後輪１８１，１８２の後方に配置されることとなる。すなわち、ハンドル部２５１，２５２の前後方向の位置が、これらの部材よりも前方側に配置されることとなる。この状態にて使用者が乳母車１１を押して歩いた場合、使用者の足先と後壁部３３または補助車輪３８が干渉するため、使用者の歩行を妨げることとなる。
【００４４】
ここで、本実施形態に係るハンドル部２５１，２５２は、上記構成を備えることから、ハンドル部２５１，２５２の配置を、図４の状態から図７の状態に容易に変更することが可能となっている。図７に示す状態においては、ハンドル部２５１，２５２が、手押しフレーム１６１，１６２の上端から後方に所定の長さだけ突出する配置となっている。すなわち、ハンドル部２５１，２５２の前後方向の位置が、後壁部３３および補助車輪３８と同等、またはそれよりも後方となる。したがって、この状態において、使用者がハンドル部２５１，２５２を把持して乳母車１１を押して歩いたとしても、使用者の足先と後壁部３３または補助車輪３８とが干渉することを防止することができるため、使用者は、快適に乳母車１１を押すことができる。
【００４５】
このように、本実施形態に係るハンドル部２５１，２５２は、手押しフレーム１６１，１６２に対して、前方に突出する配置と、後方に突出する配置とに切り換え可能となっている。これにより、例えば本実施形態に係る乳母車１１のように、後輪１８１，１８２の後方側に荷物等を保持するような構成を備える乳母車において、ハンドル部２５１，２５２の配置を切り換えることによって、使用者の歩行を妨げることを容易に防止することが可能である。
【００４６】
なお、本実施形態においては、ハンドル部２５１，２５２が回動することによって前後方向位置を切り換え可能である場合について述べたが、これに限らず、ハンドル部が、例えば着脱式であってもよいし、スライド式であってもよい。すなわち、「手押しフレームに対して、前方に突出する配置と、後方に突出する配置とに切り換え可能」であれば、如何なる構成を適用してもよい。
【００４７】
また、好ましくは、上記第一係止部材は、所定の「遊び」を持って後壁部３３を開放位置に保持するように構成される。これについて、図８を参照して説明する。乳母車１１を実際に屋外にて使用すると、階段の段差等といった移動の妨げとなる障壁にしばしば遭遇する。この場合、図８に示すように、乳母車１１の前輪１７１，１７２を路面から上方に持ち上げて、これら障壁を乗り越える必要がある。すなわち、第一係止部材は、前輪１７１，１７２を路面から高さｈだけ持ち上げ可能とするように、後壁部３３が角度θだけ回動することを許容する必要がある。それとともに、上記したように、第一係止部材は、後壁部３３をロックすることによって、乳母車１１が後方側に転倒することを防止する機能を有している。したがって、第一係止部材は、後壁部３３が所定の角度θ以上に回動することを確実に防止するように構成される必要がある。このように、第一係止部材は、角度θの遊びを持って後壁部３３を開放位置に保持するように構成されることが好ましい。これにより、乳母車１１の後方転倒を確実に防止することができるとともに、実使用上の利便性を向上させることができる。
【００４８】
なお、本実施形態においては、荷物収容部３１が、四角形の底壁３２と、底壁３２の四囲から四角形を画定するように立ち上がる前後左右の壁部３３，３４，３５，３６とによって構成され、四角形の内の一辺を形成する後壁部３３が、荷物載置用の台座として利用される場合について述べた。しかしながら、本発明は、これに限定されるものではなく、底壁の形状、または底壁の周縁から立ち上がる周壁によって画定される形状は、例えば円形であってもよいし、三角形や六角形等の多角形、またはその他任意の形状であってもよい。すなわち、本発明の概念は、荷物収容部の構成部材の一部を荷物載置用の台座として利用することにあるのであって、荷物収容部の形状に限定されるものではない。
【００４９】
また、本実施形態においては、後壁部３３が後壁フレーム３３１と後壁プレート３３２とから構成されている場合について述べたが、これに限らず、一つの部材から構成されてもよいし、複数の部材を有する構成であってもよい。
【００５０】
また、本実施形態においては、後壁部３３が、連結軸３７１，３７２を介して回動することによって、立ち上がり位置と開放位置との間を移動可能である場合について述べたが、これに限らず、例えば後壁部３３を立ち上がり位置と開放位置とに着脱可能に取り付ける構成であってもよい。また、荷物収容部の構成部材の一部をスライドさせて一方へと突出させ、その突出部分を荷物載置用の台座として利用する構成であってもよい。
【００５１】
また、本実施形態においては、後壁部３３が開放位置に配置されたときに地面と当接する補助輪３８が設けられている場合について述べたが、これに限らず、補助輪３８を設けない構成であってもよく、後壁部３３が開放位置に配置されたときに地面と当接する任意の部材を用いる構成であってもよい。
【００５２】
また、本実施形態においては、補助輪３８が後壁部３３に回動可能に取り付けられている場合について述べたが、これに限らず、後壁部３３に固定されてもよいし、後壁部３３に一体的に設けられてもよい。また、後壁部３３に補助輪３８を着脱可能に取り付ける構成であってもよい。
【００５３】
また、本実施形態においては、後壁部３３上に買物籠４０を載置した場合に、買物籠４０の移動を規制するための第三係止部材２７を、後脚フレーム１５１，１５２に設けた場合について述べたが、これに限らず、例えば買物籠が載置される後壁部壁面上に設けてもよい。また、第三係止部材２７は、買物籠の水平方向への移動を規制するものであれば、如何なる形状のものも適用可能である。
【００５４】
以上、図面を参照して本発明の実施の形態を説明したが、本発明は、図示した実施の形態のものに限定されない。図示した実施の形態に対して、本発明と同一の範囲内において、あるいは均等の範囲内において、種々の修正や変形を加えることが可能である。
【産業上の利用可能性】
【００５５】
本発明は、買い物時における使用者の利便性を大幅に向上させることができる乳母車を提供するものであって、乳母車製造分野において有利に利用される。
【符号の説明】
【００５６】
１１  乳母車、１２  座席部、１３  座席フレーム、１４１，１４２  前脚フレーム、１５１，１５２  後脚フレーム、１６１，１６２  手押しフレーム、１７１，１７２  前輪、１８１，１８２  後輪、１９  座部フレーム、１９１，１９２，１９３，１９４  フレーム部、２０  背部フレーム、２１  ヘッドフレーム、２２  連結フレーム、２３１，２３２，２４１，２４２，３９  連結部材、２５１，２５２  ハンドル部、２６  ハンドルフレーム、２７  係止部材、２７１  係止部本体部、２７２  爪部、３１  荷物収容部、３２  底壁、３３  後壁部、３３１  後壁フレーム、３３２  後壁プレート、３４  左壁部、３５  右壁部、３６  前壁部、３７１，３７２  連結軸、３８  補助輪、４０  買物籠。
【図１】
0005767489.tif 000002
【図２】
0005767489.tif 000003
【図３】
0005767489.tif 000004
【図４】
0005767489.tif 000005
【図５】
0005767489.tif 000006
【図６】
0005767489.tif 000007
【図７】
0005767489.tif 000008
【図８】
0005767489.tif 000009